(57)【要約】【課題】  ピストンが傾斜しても弁体が弁口を完全閉止できるパイロット式スチームトラップを提供する。【解決手段】  入口４と出口６が形成された本体１と蓋２とで形成されたトラップケーシングと、入口４と出口６の間に形成された弁口１４と、弁口１４の入口側に配されコイルバネ１５で弁口方向に付勢されて弁口１４を開閉する弁体１７と、弁口１４の出口側に配され弁体１７を駆動するピストン１６と、ピストン１６の弁口１４とは反対側の一面に形成された圧力室１０と、圧力室１０を入口側に連通する第１オリフィス１１と、圧力室１０を出口側に連通する第２オリフィス２０と、第１オリフィス１１を開閉し圧力室１０内の圧力を制御してピストン１６を動作させるパイロット弁９を備え、弁体１７とピストン１６を突き合わせて連結し、弁体１７とピストン１６の突合せ部をほぼ円錐面２２とほぼ半球面２１とから形成する。【選択図】      図１
2011021684.tif 000002
【特許請求の範囲】
【請求項１】
入口と出口が形成されたトラップケーシングと、入口と出口の間に形成された弁口と、弁口の入口側に配されバネで弁口方向に付勢されて弁口を開閉する弁体と、弁口の出口側に配され弁体を駆動するピストンと、ピストンの弁口とは反対側の一面に形成された圧力室と、圧力室を入口側に連通する第１オリフィスと、圧力室を出口側に連通する第２オリフィスと、第１オリフィスを開閉し圧力室内の圧力を制御してピストンを動作させるパイロット弁とを備えたものにおいて、弁体とピストンを突き合わせて連結し、弁体とピストンの突合せ部をほぼ円錐面とほぼ半球面とから形成したことを特徴とするパイロット式スチームトラップ。
【発明の詳細な説明】
【技術分野】
【０００１】
本発明は、蒸気配管系に発生する復水を自動的に排出するスチームトラップに関し、特にパイロット弁の開閉によってピストンを動作させるようにしたパイロット式スチームトラップに関する。
【背景技術】
【０００２】
従来のディスク式スチームトラップは、例えば特許文献１に開示されている。これは、入口と出口が形成されたトラップケーシングと、入口と出口の間に形成された弁口と、弁口の入口側に配されバネで弁口方向に付勢されて弁口を開閉する弁体と、弁口の出口側に配され弁体に固着されて弁体を駆動するピストンと、ピストンの弁口とは反対側の一面に形成された圧力室と、圧力室を入口側に連通する第１オリフィスと、圧力室を出口側に連通する第２オリフィスと、第１オリフィスを開閉し圧力室内の圧力を制御してピストンを動作させるパイロット弁とを備えたものである。
【先行技術文献】
【特許文献】
【０００３】
【特許文献１】特公平６−６３５９９号公報
【発明の概要】
【発明が解決しようとする課題】
【０００４】
上記従来のパイロット式スチームトラップは、弁口から出口に向かう排出復水によりピストンが傾斜し易いために、ピストンに固着された弁体が弁口を完全閉止できなくなり蒸気を漏出する問題点があった。
【０００５】
したがって本発明が解決しようとする課題は、ピストンが傾斜しても弁体が弁口を完全閉止できるパイロット式スチームトラップを提供することである。
【課題を解決するための手段】
【０００６】
上記の課題を解決するために、本発明のパイロット式スチームトラップは、入口と出口が形成されたトラップケーシングと、入口と出口の間に形成された弁口と、弁口の入口側に配されバネで弁口方向に付勢されて弁口を開閉する弁体と、弁口の出口側に配され弁体を駆動するピストンと、ピストンの弁口とは反対側の一面に形成された圧力室と、圧力室を入口側に連通する第１オリフィスと、圧力室を出口側に連通する第２オリフィスと、第１オリフィスを開閉し圧力室内の圧力を制御してピストンを動作させるパイロット弁とを備えたものにおいて、弁体とピストンを突き合わせて連結し、弁体とピストンの突合せ部をほぼ円錐面とほぼ半球面とから形成したことを特徴とするものである。
【発明の効果】
【０００７】
本発明によれば、弁体とピストンを突き合わせて連結し、弁体とピストンの突合せ部をほぼ円錐面とほぼ半球面とから形成したことにより、弁口から出口に向かう排出復水によりピストンが傾斜しても、弁体がピストンとは別に傾斜して弁口を完全閉止でき、蒸気を漏出することがないという優れた効果を奏する。
【図面の簡単な説明】
【０００８】
【図１】本発明の実施の形態に係わるパイロット式スチームトラップの断面図である。
【発明を実施するための形態】
【０００９】
以下、本発明の実施の形態について、図１を参照して説明する。本体１と本体１に固着された蓋２によりトラップケーシングが形成される。本体１に入口４と出口６が形成される。入口４と出口６は同一軸上に形成される。トラップケーシングの内部は仕切り壁３により入口４の連通する入口側空間５と出口６の連通する出口側空間７に仕切られる。入口側空間５の下部に異物捕捉用のスクリーン８が配置される。入口側空間５の上部にパイロット弁９が取付けられる。パイロット弁９は具体的な構造の図示を省略しているが、入口側空間５の温度に従って膨脹収縮する膨脹媒体によりダイヤフラムを変位せしめ、ダイヤフラムに連結した弁部材により下記の圧力室１０に連通する第１オリフィス１１を開閉するようにしたものである。パイロット弁９としてはバイメタルやフロートを用いることもできる。
【００１０】
出口側空間７にシリンダ１２が配置される。入口側空間５と出口側空間７の間に弁座１３が配置される。入口側空間５と出口側空間７は弁座１３に開けられた弁口１４により連通される。弁口１４の下方の入口側空間５側にコイルバネ１５により弁口１４方向に付勢されて弁口１４を開閉する弁体１７が配置され、シリンダ１２内にシリンダ１２内を気密的に摺動して弁体１７を駆動するピストン１６が配置され、ピストン１６と弁体１７がつき合わされて連結される。ピストン１６の下端にはほぼ半球面２１を形成し、弁体１７の上面にはほぼ円錐面２２を形成することにより、ピストン１６と弁体１７の突合せ部を形成する。ピストン１６の下面にほぼ円錐面を形成し、弁体１７の上端にほぼ半球面を形成することもできる。
【００１１】
ピストン１６の弁口１４とは反対側の一面に形成された上方空間が圧力室１０を成し、第１オリフィス１１によって入口側空間５に連通している。また圧力室１０はピストン１６を貫通する第２オリフィス２０により出口側空間７に連通している。
【００１２】
上記実施例の作動を説明する。上記実施例の作動は下記の通りである。始動時は入口側空間５が低温であり、パイロット弁９の開弁により第１オリフィス１１から圧力室１０に導入される低温流体により圧力室１０の圧力が高められ、ピストン１６がコイルバネ１５の付勢力に抗して下方に変位し、これに伴って弁体１７が弁座１３から離座して弁口１４を開き、入口４からの復水を出口６へ排出する。復水の排出により入口側空間５が高温になると、パイロット弁９が第１オリフィス１１を閉弁し、圧力室１０の圧力が第２オリフィス２０を通して次第に低下するので、コイルバネ１５の付勢力により弁体１７とピストン１６が情報に変位し、弁体１７が弁口１４を塞ぐ。この弁体１７が弁口１４を塞ぐときにに、弁口１４から出口６に向かう排出復水によりピストン１６が傾斜しても、弁体１７がピストン１６とは別に傾斜して弁口１４を完全閉止でき、蒸気を漏出することがない。
【産業上の利用可能性】
【００１３】
本発明は、パイロット弁の開閉によってピストンを動作させることにより、蒸気配管系に発生する復水を自動的に排出するパイロット式スチームトラップに利用することができる。
【符号の説明】
【００１４】
１  本体
２  蓋
４  入口
５  入口側空間
６  出口
７  出口側空間
９  パイロット弁
１０  圧力室
１１  第１オリフィス
１３  弁座
１４  弁口
１６  ピストン
１７  弁体
２０  第２オリフィス
２１  ほぼ半球面
２２  ほぼ円錐面
【図１】
2011021684.tif 000003